(57)【要約】【課題】補強部材が容易に取り付けられる構造物の支柱部材とこの支柱部材を用いたフェンスを提供する。【解決手段】支柱部材１０は、支柱１２と、支柱１２に取り付ける横部材１４とを有する構造物に使用し、支柱１２の中に設ける補強部材１６と共に支柱１２を構成する。支柱部材１０は、横部材１４の一部を装着する横部材装着部１８と、補強部材１６の一部を装着する凹部２０と、横部材装着部１８と凹部２０の間に設けられた凸部２２を有し、補強部材１６を２本で囲んで支柱１２を構成する。補強部材１６は円筒形状を、凹部は半円柱形状をそれぞれ有する。横部材装着部１８は、横部材１４を押圧する突起部２４を有する。支柱部材１０は、補強部材１６を両側から囲んで支柱１２を構成する。フェンスは、支柱１２と、支柱１２に取り付ける横部材１４とを有する。【選択図】図１
0003172331.tif 000002
【実用新案登録請求の範囲】
【請求項１】
支柱と前記支柱に取り付ける横部材とを有する構造物に使用し、前記支柱の中に設ける補強部材と共に前記支柱を構成する構造物の支柱部材であって、
前記横部材の一部を装着する横部材装着部と、前記補強部材の一部を装着する凹部と、前記横部材装着部と前記凹部の間に設けられた凸部を有し、
前記補強部材を２以上で囲んで前記支柱を構成する構造物の支柱部材。
【請求項２】
請求項１の構造物の支柱部材において、
前記補強部材は、円柱形状または円筒形状を有し、
前記凹部は、半円柱形状を有し、
前記横部材装着部は、前記横部材を押圧する突起部を有し、
前記補強部材を両側から囲んで前記支柱を構成する構造物の支柱部材。
【請求項３】
請求項１または２の構造物の支柱部材において、
成形された合成樹脂からなる構造物の支柱部材。
【請求項４】
支柱と、前記支柱に取り付ける横部材とを有するフェンスであって、
前記支柱は、補強部材と、前記補強部材を囲む複数の支柱部材とを有し、
前記支柱部材は、前記横部材の一部を装着する横部材装着部と、前記補強部材の一部を装着する凹部と、前記横部材装着部と前記凹部の間に設けられた凸部とを有するフェンス。
【請求項５】
請求項４のフェンスにおいて、
前記補強部材は、円柱形状または円筒形状を有し、
前記凹部は、半円柱形状を有し、
前記横部材装着部は、前記横部材を押圧する突起部を有し、
前記補強部材は、前記支柱部材で両側から囲まれ、
前記横部材は、前記支柱部材で両側から押圧されているフェンス。
【考案の詳細な説明】
【技術分野】
【０００１】
本考案は、構造物の支柱を構成する構造物の支柱部材と、この支柱部材を用いたフェンスに関するものである。より詳しくは、補強部材が容易に装着できる構造物の支柱部材と、この支柱部材を用いたフェンスに関するものである。
【背景技術】
【０００２】
構造体として敷地の外周や隣地との境界等に設置するフェンスがある。フェンスとしては、図５に示すような、支柱と横部材である横板を組み合わせて作製されるフェンス８０がある。フェンス８０は、以下のようにして施工される。まず、所定の間隔で支柱８２,８４の下部を地中に埋設し、コンクリート等で固定する。つぎに、隣り合った支柱８２,８４間に、横板８６を固定する。固定する横板の形状、数、隙間等を調整することによって、様々なフェンスが施工できる。
【０００３】
支柱をプラスチック製とした場合、太陽光の赤外線等の熱によって、支柱が変形・湾曲してしまう場合がある。また、プラスチック製の支柱は、剛性が不足する場合が多い。これらの問題を解消するため、図６に示すように、プラスチック製の支柱９６内にパイプ等の補強部材９８を設けることが考えられる。この例では、補強部材９８が支柱９６の底面から突出しており、この突出した部分を埋設して固定することによって、支柱９６を設置する。
【０００４】
支柱９６に補強部材９８を取り付ける場合、補強部材９８の形状に合わせて支柱９６の中をくり抜かなければならない。しかし、補強部材９８の形状どおりに支柱９６の中をくり抜くのは困難である。また、支柱９６の太さを変更する等によって、補強部材９８の太さも変更する場合、補強部材９８を支柱９６に挿入するための穴あけドリル等の工具や治具を新たに用意する必要があり、支柱９６自体のコストアップを招いてしまう。
【考案の概要】
【考案が解決しようとする課題】
【０００５】
本考案はこのような事情に鑑みてなされたものであり、補強部材が容易に取り付けられる構造物の支柱部材とこの支柱部材を用いたフェンスを提供することを目的とする。
【課題を解決するための手段】
【０００６】
本考案の構造物の支柱部材は、支柱と前記支柱に取り付ける横部材とを有する構造物に使用し、支柱の中に設ける補強部材と共に支柱を構成する構造物の支柱部材であって、横部材の一部を装着する横部材装着部と、補強部材の一部を装着する凹部と、横部材装着部と凹部の間に設けられた凸部を有し、補強部材を２以上で囲んで支柱を構成する。
【０００７】
本考案の構造物の支柱部材において、補強部材は、円柱形状または円筒形状を有し、凹部は、半円柱形状を有し、横部材装着部は、横部材を押圧する突起部を有し、補強部材を両側から囲んで支柱を構成することが好ましい。本考案の構造物の支柱部材において、成形された合成樹脂からなることが好ましい。
【０００８】
本考案のフェンスは、支柱と、支柱に取り付ける横部材とを有するフェンスであって、支柱は、補強部材と、補強部材を囲む複数の支柱部材とを有し、支柱部材は、横部材の一部を装着する横部材装着部と、補強部材の一部を装着する凹部と、横部材装着部と凹部の間に設けられた凸部とを有する。
【０００９】
本考案のフェンスにおいて、補強部材は、円柱形状または円筒形状を有し、凹部は、半円柱形状を有し、横部材装着部は、横部材を押圧する突起部を有し、補強部材は、支柱部材で両側から囲まれ、横部材は、支柱部材で両側から押圧されていることが好ましい。
【考案の効果】
【００１０】
本考案によれば、補強部材が容易に取り付けられる構造物の支柱部材とこの支柱部材を用いたフェンスが提供できる。
【図面の簡単な説明】
【００１１】
【図１】本考案の実施形態に係る支柱部材を有する支柱の底面方向からの斜視図である。
【図２】本考案の実施形態に係る支柱部材を有する支柱の底面図である。
【図３】本考案の実施形態に係る支柱の組み立てを説明するための側面図である。
【図４】本考案の実施形態に係るフェンスの正面図である。
【図５】従来のフェンスの正面図である。
【図６】補強部材を設けた支柱の底面方向からの斜視図である。
【考案を実施するための形態】
【００１２】
以下、本考案の構造物の支柱部材（以下、単に「支柱部材」という。）およびフェンスについて、図面を参照しながら実施形態に基づいて説明する。なお、図面は、支柱部材、フェンス、およびフェンスを構成する各部材を模式的に表したものであり、これらの実際の寸法および寸法比は、図面上の寸法および寸法比と必ずしも一致していない。また、重複説明は適宜省略し、同一部材には同一符号を付与することがある。
【００１３】
図１は、本考案の実施形態に係る支柱部材１０を有する支柱１２の底面方向からの斜視図である。図２は、支柱１２の底面図である。図３は、支柱１２の組み立てを説明するために示す側面図である。フェンス等の構造物は、支柱１２と、支柱１２に取り付ける横部材１４とを有する。支柱１２は、支柱部材１０と補強部材１６とを備える。すなわち、支柱部材１０は、補強部材１６と共に支柱を構成する。補強部材１６は、支柱１２の強度や剛性を補強するための部材である。
【００１４】
図３に示すように、補強部材１６の一部が長手方向に突出するように、２つの支柱部材１０で補強部材１６を囲んで支柱１２を構成する。本実施形態では２つの支柱部材１０で補強部材１６を囲んでいるが、３つ以上の支柱部材１０で補強部材１６を囲んでもよい。支柱部材１０は、図１および図２に示すように、横部材１４の一部を装着する横部材装着部１８と、補強部材１６の一部を装着する凹部２０と、横部材装着部１８と凹部２０の間に設けられた凸部２２を有する。
【００１５】
支柱部材１０に凹部２０が設けられているため、補強部材を支柱に取り付けるためのくり抜き加工が不要となる。支柱部材１０に横部材装着部１８が設けられているため、支柱１２の横部材装着部１８に横部材１４を装着することによって、フェンス等の構造物を簡易に組み立てることができる。支柱部材１０に凸部２２が設けられているため、補強部材１６を凸部２２で覆うことができると共に、凸部２２を介して２つの支柱部材１０を接着することができる。
【００１６】
補強部材１６は円筒形状を有する金属製パイプである。補強部材１６は、円筒形状に代えて円柱形状であってもよいし、金属以外の材質であっても良い。凹部２０は半円柱形状を有する。すなわち、本実施形態では、２つの支柱部材１０が、補強部材１６を両側から挟んで支柱１２を構成する。横部材装着部１８は、横部材１４を押圧する突起部２４を有する。このため、横部材装着部１８に横部材１４を装着すれば、支柱１２に横部材１４をより強く固定できる。
【００１７】
支柱部材１０は一体成形された合成樹脂からなる。このため、合成樹脂の成形体を長手方向で切断することによって、大量の支柱部材１０が簡易に、かつ精度良く製造できる。支柱部材１０が合成樹脂からなるため、凸部２２の表面を溶剤で溶かして２つの支柱部材１０を押し付け合えば、２つの支柱部材１０が溶着される。２つの支柱部材１０は、凸部２２を介して接着剤によって接合されてもよい。支柱部材１０の材質である合成樹脂としては、ポリスチレンやＡＢＳ等が挙げられる。なお、支柱部材１０の材質は、合成樹脂に代えて、木材や木材粉を添加した合成樹脂等であってもよい。
【００１８】
図４は、本考案の実施形態に係るフェンス４０の正面図である。フェンス４０の各構成部材の形状、構造、材質等は、支柱１３を除いて、前述した支柱部材１０、支柱部材１０の構成部材、および支柱部材１０の周辺部材に対応するものと同じである。フェンス４０は、支柱１２,１３と、支柱１２,１３に取り付ける横部材１４とを有する。支柱１３は、フェンス４０の端に設置される。したがって、支柱１２を構成する支柱部材には、横部材装着部が２ヶ所設けられているのに対して、支柱１３を構成する支柱部材には、横部材装着部が１ヶ所だけ設けられている。
【００１９】
支柱１２,１３の上面に支柱キャップ４２,４３を装着している。このため、補強部材１６内部にゴミや雨水等が入るのを防ぐと共に、フェンス４０の美観を向上させている。支柱１２,１３は、補強部材１６,１７と、補強部材１６,１７を囲む複数の支柱部材（不図示）とを有する。支柱部材は、横部材１４の一部を装着する横部材装着部と、補強部材の一部を装着する凹部と、横部材装着部と凹部の間に設けられた凸部とを有する（いずれも不図示）。
【００２０】
補強部材１６,１７は、円柱形状または円筒形状を有し、凹部は、半円柱形状を有する。横部材装着部は、横部材１４を押圧する突起部を有し、補強部材１６,１７は、支柱部材で両側から囲まれ、横部材１４は、支柱部材で両側から押圧されている。横部材１４同士の間には、間隔板４４が設置されている。このため、横部材１４の間からの採光や通風が確保できる。
【００２１】
フェンス４０は以下の工程を経て設置される。まず、２つの支柱部材で補強部材１６を挟みながら、支柱部材同士を凸部で接着して支柱１２,１３を組み立てる（図３参照）。つぎに、支柱１２,１３から突出した補強部材１６,１７を所定の間隔で地中に埋設し、コンクリートで固定する。そして、支柱１２,１３の上方から、間隔板４４と横部材１４を交互に差し込む。このとき、間隔板４４および横部材１４の端面が、凸部の側面に接触するようにする。その後、支柱１２,１３に支柱キャップ４２,４３を装着する。
【００２２】
以上、実施形態に基づいて本考案の支柱部材およびフェンスを説明したが、本考案の支柱部材およびフェンスは上記実施形態に限定されない。例えば、補強部材は、直方体、四角柱、六角柱等の角柱形状を有していてもよいし、角柱形状の中が空洞である角筒形状を有していてもよい。この場合、凹部は、角柱形状の半分の形状である半角柱形状を有していてもよい。また、補強部材は、支柱部材から突出していなくてもよい。この場合、支柱部材と補強部材を一緒に埋設し固定する。
【符号の説明】
【００２３】
１０…支柱部材、  １２,１３…支柱、  １４…横部材、  １６,１７…補強部材、  １８…横部材装着部、  ２０…凹部、  ２２…凸部、  ２４…突起部、  ４０…フェンス、  ４２,４３…支柱キャップ、  ４４…間隔板、  ８０…フェンス、  ８２,８４…支柱、  ８６…横板、  ９６…支柱、  ９８…補強部材
【図１】
0003172331.tif 000003
【図２】
0003172331.tif 000004
【図３】
0003172331.tif 000005
【図４】
0003172331.tif 000006
【図５】
0003172331.tif 000007
【図６】
0003172331.tif 000008